(57)【特許請求の範囲】
【請求項１】
横軸まわりに回転駆動される内刃（１５）と、かみそりヘッド（７）に対して着脱される外刃ホルダー（１６）と、外刃ホルダー（１６）で支持される外刃（１７）とを備えているロータリ式電気かみそり用の清掃具であって、
外刃ホルダー（１６）の代わりにかみそりヘッド（７）に装着されるホルダー体（２５）と、ホルダー体（２５）に支持されて内刃（１５）の周面に外接する清掃ブラシ（２６）とを有し、
清掃ブラシ（２６）が、ホルダー体（２５）に回転自在に支持されており、
ホルダー体（２５）に、清掃ブラシ（２６）の両側端に設けた軸部（３６）を支持する軸受部（３５）が設けられており、
この軸受部（３５）が軸部（３６）を着脱できるように構成されており、
軸受部（３５）が、ホルダー体（２５）の上壁内面から下向きに突設して、互いに離れる向きに弾性変形し得る前後一対の保持腕（３７）と、ホルダー体（２５）の側壁内面に膨出した位置決め突起（３８）とを含むものであり、
保持腕（３７）のそれぞれの対向面の下端に、軸部（３６）の下半周面を抱持する保持爪（３９）が設けられているロータリ式電気かみそり用の清掃具。
【請求項２】
かみそりヘッド（７）に装着した外刃ホルダー（１６）で、安全確保状態に保持される安全スイッチ（１９）が電気かみそりに設けられており、ホルダー体（２５）をかみそりヘッド（７）に装着した状態において、安全スイッチ（１９）を安全確保状態に保持する操作部（３２）がホルダー体（２５）に設けられている請求項１記載のロータリ式電気かみそり用の清掃具。
【請求項３】
ホルダー体（２５）が、下向きに開口するキャップ状に形成されており、
ホルダー体（２５）の周壁の複数個所に、洗浄水の出入りを許す通水口（２７）が開口している請求項１又は２記載のロータリ式電気かみそり用の清掃具。
【請求項４】
ホルダー体（２５）が、手動清掃用のブラシ毛（４７、４８）を備えている枠体からなり、
ホルダー体（２５）に清掃ブラシ（２６）と、かみそりヘッド（７）に対して着脱自在に係合装着される連結部（４９）とが設けてある請求項１又は２記載のロータリ式電気かみそり用の清掃具。
【請求項５】
ホルダー体（２５）に、全ての通水口（２７）を塞ぐカバー（４２）が着脱自在に付加装着されており、
カバー（４２）をホルダー体（２５）に対して装着ないし分離して、清掃具が水洗清掃と乾燥清掃とに共用できるようにした請求項３記載のロータリ式電気かみそり用の清掃具。  
【発明の詳細な説明】
【０００１】
【発明の属する技術分野】
本発明は、ロータリ式電気かみそりに適用されて、内刃を回転駆動しながらその刃溝等の清掃を自動的に行える清掃具に関する。
【０００２】
【従来の技術】
ロータリ式電気かみそり用の清掃具に実開昭５９−３４７７３号公報があり、これは中空ケースの一側端に掻き落としリングを固定したものであり、掻き落としリングを内刃に対して外嵌状に挿嵌し、軸心に沿って往復操作することにより、刃溝等に付着した毛屑や皮脂を強制的に掻き落とすことができる。掻き落としリングには内刃の断面形状に合致する刃孔が形成してある。
【０００３】
本発明の清掃具では、回転自在に支持した円柱状のブラシを内刃に外接し、内刃を回転駆動しながら刃溝等の清掃を行うが、この種の清掃方式は実公昭６０−７６５３号公報に公知である。但し、円柱状のブラシは内刃と共にかみそりヘッドの内部に組み込んであって、内刃をフレームから分離しない限りは取り外すことができない。
【０００４】
上記以外に、外刃ホルダーと換装されるキャップやコ字形ホルダーの内面に、内刃清掃用のブラシを配置した清掃具が、実開昭５８−１７４０６８号公報や実開昭５９−４００７８号公報に公知である。これらはいずれも、レシプロ式の電気かみそりに対応したものであって、ブラシ自体は回転も往復動もできない。
【０００５】
【発明が解決しようとする課題】
毛屑等を掻き落とすタイプの清掃具は、外刃ホルダーを外して内刃が露出した状態のままで清掃を行うので、モータ起動スイッチを誤ってオン操作する場合に危険である。
【０００６】
この点、清掃ブラシを内蔵した電気かみそりは、内刃および清掃ブラシの外面が外刃ホルダーで常に覆われているので安全性が問題になることはない。しかし、切断された毛屑が常時内刃と摺接状態にある清掃ブラシで跳ね飛ばされて、外刃の刃孔から外部に飛散するので、衛生上の問題がある。内刃と外刃との摺接面でひげ切断を行うので、清掃ブラシを内刃の下半周面に外接する状態で配置する必要があり、そのため清掃ブラシが摩耗した場合の交換に多くの手間が掛かる。清掃ブラシが内刃と常時外接しているので、ブラシが消耗しやすいうえ、モータ動力が無駄に消費される不利もある。
【０００７】
本発明の目的は、外刃ホルダーに代えてかみそりヘッドに装着するだけで、内刃を回転駆動しながらその刃面や刃溝の清掃が自動的に行えるロータリ式電気かみそり用の清掃具を提供することにある。本発明の目的は、元来消耗しやすい清掃ブラシをキャップ状のホルダー体に対して着脱できるようにして、清掃ブラシの交換やブラシ自体の清掃を少ない手間で容易に行えるようにすることにある。本発明の目的は、清掃具をヘッドユニットにきちんと装着しない限りは内刃を駆動して清掃を開始できず、安全性に優れた清掃具を提供することにある。
【０００８】
本発明の目的は、内刃やその周辺部に付着した毛屑等を水で洗い流すことができる水洗い式の清掃具を提供することにある。本発明の目的は、水洗い用のホルダー体に別のカバーを付加装着することにより、通水口を塞いで毛屑等の飛散を防止でき、従って乾燥状態のままでも内刃の清掃が行える清掃具を提供することにある。本発明の目的は、外刃ホルダーの代わりにヘッドユニットに装着されて、手軽に内刃の清掃を行える手動清掃用のブラシを備えた清掃具を提供することにある。
【０００９】
【課題を解決するための手段】
本発明の清掃具は、図２に示すごとく横軸まわりに回転駆動される内刃１５と、かみそりヘッド７に対して着脱される外刃ホルダー１６と、外刃ホルダー１６で支持される外刃１７とを備えたロータリ式電気かみそりに適用される。その清掃具は図１に示すごとく外刃ホルダー１６の代わりにかみそりヘッド７に装着されるホルダー体２５と、ホルダー体２５に支持されて、内刃１５の周面に外接する清掃具ブラシ２６とを有する。清掃ブラシ２６はホルダー体２５で回転自在に支持する。具体的には、ホルダー体２５に、清掃ブラシ２６の両側端に設けた軸部３６を支持する軸受部３５を設け、軸受部３５は軸部３６を着脱できるように構成する（図５参照）。この軸受部３５は、ホルダー体２５の上壁内面から下向きに突設して、互いに離れる向きに弾性変形し得る前後一対の保持腕３７と、ホルダー体２５の側壁内面に膨出した位置決め突起３８とを含むものとする。保持腕３７のそれぞれの対向面の下端には、軸部３６の下半周面を抱持する保持爪３９を設ける。
【００１０】
図３に示すごとく、かみそりヘッド７に装着した外刃ホルダー１６で、安全確保状態に保持される安全スイッチ１９を電気かみそりに設ける。ホルダー体２５をかみそりヘッド７に装着した状態において、図４に示すごとく安全スイッチ１９を安全確保状態に保持するための操作部３２をホルダー体２５に設ける。
【００１１】
ホルダー体２５は、図４に示すごとく下向きに開口するキャップ状に形成して、ホルダー体２５の周壁の複数個所に洗浄水の出入りを許す通水口２７を開口する。
【００１２】
ホルダー体２５は、図１２に示すごとく手動清掃用のブラシ毛４７・４８を備えた枠体で構成し、ホルダー体２５に清掃ブラシ２６と、かみそりヘッド７に対して着脱自在に係合装着される連結部４９とを設ける。
【００１３】
ホルダー体２５には図１１に示すごとく全ての通水口２７を塞ぐためのカバー４２を着脱自在に付加装着し、カバー４２はホルダー本２５に対して装着ないし分離して、清掃具を水洗清掃と乾燥清掃のいずれにも適用できるようにする。
【００１４】
【作用】
清掃具を使用する際には、かみそりヘッド７にホルダー体２５を装着して、清掃ブラシ２６を内刃１５に外接させる。この状態でモータ起動用のスイッチノブ４をオン操作すると、内刃１５が回転駆動され、同時に清掃ブラシ２６がスリップしながら内刃１５と連れ回り回転する。このときの、ブラシ毛と内刃１５との相対摺動によって、刃面や刃溝に付着の毛屑や皮脂を強制的に掻き落とす。ホルダー体２５を外刃ホルダー１６と換装した後、モータ起動用のスイッチノブ４をオン操作するだけで内刃１５の清掃が行えるので、清掃作業を手軽にしかも迅速に行える。通常使用時には外刃ホルダー１６をかみそりヘッド７に装着し、清掃時に限って清掃具をかみそりヘッド７に換装して清掃を行うので、清掃ブラシ２６の損耗を抑止できるうえ、モータ８に余分な負荷が掛かるのを解消できる。
【００１５】
清掃ブラシ２６をホルダー体２５に対して着脱できるようにすると、清掃ブラシ２６をホルダー体２５から取り外して、ブラシ自体の洗浄やホルダー体２５の清掃を行え、清掃ブラシ２６が損耗した場合のブラシ交換を、少ない手間で簡単に行える。消耗部品を清掃ブラシ２６のみに限って、内刃１５のメンテナンスに要するコストを減少できる。
【００１６】
図４に示すように、安全スイッチ１９を安全確保状態に保持する操作部３２が、ホルダー体２５に設けてあると、ホルダー体２５をかみそりヘッド７に適正に装着しない限りは、安全スイッチ１９を安全確保状態に切り換えることができないので、保持モータ起動用のスイッチノブ４をオン操作してもモータ８は起動せず、従って清掃作業を安全に行える。
【００１７】
キャップ状に形成したホルダー体２５の周壁に、複数個の通水口２７を開口してあると、洗浄水を通水口２７からホルダー体２５の内部に導入して、ブラシ毛による掻き落とし作用に加えて、洗浄水の流動作用によっても、毛屑や皮脂等を洗い流すことができ、内刃１５やその周辺部に付着した毛屑等を効果的に除去できる。通水口２７を対向する一対の周壁に開口しておけば、一方の通水口２７から流水を流し掛け、他方の通水口２７から毛屑等を含む洗浄水を排出して、清掃ブラシ２６や流水で除去された毛屑が再付着するのを防止できる。水洗い時の清掃ブラシ２６は、その回転作用によって洗浄水を周囲に跳ね飛ばし、あるいはブラシ回りの水流を生じさせるので、内刃１５の周辺の壁面や隅部等に付着した毛屑も確実に清掃できる。
【００１８】
水洗い可能なホルダー体２５と、これに装着されるカバー４２とで構成した清掃具によれば、カバー４２をホルダー体２５に付加装着することにより、全ての通水口２７を塞ぐことができる。従って、水洗浄が行いにくい場合に、カバー４２を併用して清掃を行うことにより、毛屑等が通水口２７からホルダー外へ飛散するのを防止できる。通水口２７が形成されていない、乾燥清掃専用のキャップ状のホルダー体を別途設ける場合に比べて、清掃具のコストを減少できる。
【００１９】
手動清掃用のブラシ毛４７・４８が設けられた枠体を利用して、これに清掃ブラシ２６と連結部４９とを設けた清掃具によれば、ホルダー体２５をかみそりヘッド７に装着して、内刃１５を回転駆動しながら清掃を行うことにより、手軽に内刃１５の清掃を行うことができる。
【００２０】
【実施例】
図１ないし図１１は本発明に係る清掃具の実施例を示す。図２は清掃具が適用されるロータリ式電気かみそりを示しており、グリップを兼ねる筒状の本体ケース１を有し、上側の組付開口の側からかみそりユニット２を本体ケース１内へ組み、下端のコネクタユニット３とかみそりユニット２とをビスで締結して、これら三者１〜３を一体化してなる。本体ケース１の前後面にはモータ起動用のスイッチノブ４と、きわ剃り刃を起伏操作する切換ノブ５とが設けてある。コネクタユニット３には充電用のコネクタプラグを設けてある。
【００２１】
かみそりユニット２は、シャーシユニット６とかみそりヘッド７とに大別される。シャーシユニット６の側には、モータ８、二次電池９および回路基板１０等の電装部品を集約配置する。かみそりヘッド７は、逆門形のヘッドフレーム１２と、ヘッドフレーム１２で軸１３を中心にして前後揺動可能に支持される首振りフレーム１４とからなる。首振りフレーム１４の上部には、横軸まわりに回転する前後一対の内刃１５が軸支してあり、両内刃１５にモータ８の回転動力を伝えるためのギヤ伝動機構が、ヘッドフレーム１２の内部に収容されている。
【００２２】
首振りフレーム１４とヘッドフレーム１２との間には、きわ剃り刃を駆動する振動子が配置してある。首振りフレーム１４に対して、外刃ホルダー１６を上方から嵌着することにより、外刃１７が各内刃１５に外接する。かみそりヘッド７を水洗い可能とするために、かみそりヘッド７とシャーシユニット６との間に防水シール１８を設けてある。図示していないが、モータ８の出力軸とヘッドフレーム１２の底壁との間にも、別の防水シールが配置してある。
【００２３】
外刃ホルダー１６を首振りフレーム１４から取り外すと、２個の内刃１５が剥き出しになる。この状態で先のスイッチノブ４をオン操作すると、内刃１５が回転駆動されて危険である。こうした事態を避けるために、図３に示すように、シャーシユニット６側に安全スイッチ１９を設け、これを外刃ホルダー１６の着脱操作に連動して上下動する連動ピース２０と中継ピース２１とを介して、オン状態とオフ状態とに切換えられるようにしている。
【００２４】
中継ピース２１はヘッドフレーム１２の内部に配置されて、上下動自在に支持されており、図外の圧縮ばねで上向きに移動付勢している。連動ピース２０は首振りフレーム１４の側端壁で上下スライド自在に支持されており、外刃ホルダー１６を首振りフレーム１４に装着した状態においては、その両肩部が外刃ホルダー１６の側壁下端１６ａで受け止められている。この状態でのみ安全スイッチ１９がオン状態（安全確保状態）になる。従って、外刃ホルダー１６を取り外すと、中継ピース２１と連動ピース２１とは、想像線で示す位置まで上方スライドし、その結果、安全スイッチ１９がオフ状態に切り換ってモータ８への通電を阻止する。なお、中継ピース２１と安全スイッチ１９の受動プローブとの間は先の防水シール１８で隔てられている。
【００２５】
内刃１５や外刃ホルダー１６で覆われる首振りフレーム１４の周壁部分等を、モータ動力を利用しながら水洗い可能とするために、上記の電気かみそりに適合する清掃具を有する。図２において、その清掃具は外刃ホルダー１６の代わりにかみそりヘッド７の首振りフレーム１４に装着されるホルダー体２５と、ホルダー体２５の内面に配置した清掃ブラシ２６とからなる。
【００２６】
図４ないし図８において、ホルダー体２５は下向きに開口するキャップ状のプラスチック成形品からなり、その周壁の複数個所に洗浄水の出入りを許す通水口２７を開口する。通水口２７はふたつの群からなる。そのひとつは、ホルダー体２５の前後肩部に沿って開口されて、櫛刃状のリブで区分される上部通水口２７ａの一群であり、他はホルダー体２５の前後周壁に開口される上下一対の下部通水口２７ｂ・２７ｃである。
【００２７】
ホルダー体２５は、外刃ホルダー１６の係合構造を利用して首振りフレーム１４に係合装着される。そのために、図４に示すようにホルダー体２５の両側壁の内面下部に、前後一対の係合凹部２８を設ける。この係合凹部２８は首振りフレーム１４の両側壁の外面に突出する保持爪２９と係合して、ホルダー体２５の装着状態を維持する。なお、４個の保持爪２９はヘッドフレーム１２の一側外面に設けた解除ボタン３０を押し込み操作することによって退入操作され、この状態でのみホルダー体２５を首振りフレーム１４から取り外すことができる。
【００２８】
ホルダー体２５を首振りフレーム１４に適正に装着した状態では、先の連動ピース２０がホルダー体２５の側壁下端の操作部３２で、ばねの付勢力に抗して押し下げ操作されるので、外刃ホルダー１６を首振りフレーム１４に装着した場合と同様に安全スイッチ１９を安全確保状態に保持できる。図２に示すように、ホルダー体２５の上下高さは外刃ホルダー１６のそれに比べて大きく設定してあり、ホルダー体２５を首振りフレーム１４に装着した状態において、清掃ブラシ２６が内刃１５の上半周面に外接できる。上下一対の下部通水口１７ｂ・１７ｃの間に設けた防護壁３３は、内刃１５の前後外面に位置させて（図１参照）、清掃途中に誤って内刃１５に触れる事故を確実に防いでいる。
【００２９】
図５において清掃ブラシ２６は、ねじり合わされた複数本のステンレス線材の間にブラシ毛の一群を挟持固定して円柱状に形成してあり、ステンレス線材を芯軸３４にしてホルダー体２５に回転自在に支持する。そのために、ホルダー体２５の上部内隅の中央に軸受部３５を設けたうえで、芯軸３４の両側端に外嵌固定したブッシュ（軸部）３６を軸受部３５で軸支する。
【００３０】
図６および図７において軸受部３５は、ホルダー体２５の上壁内面から下向きに突設した前後一対の保持腕３７と、ホルダー体２５の側壁内面に膨出した位置決め突起３８とからなる。保持腕３７は互いに離れる向きに弾性変形でき、それぞれの対向面の下端に、ブッシュ３６の下半周面を抱持する保持爪３９を備えている。これら一対の保持爪３９と位置決め突起３８とで、ブッシュ３６の周面３個所を抱持することにより、清掃ブラシ２６を回転自在に軸支できる。一対の保持腕３７の弾性に抗して、ブッシュ３６を軸受部３５に係脱すると、清掃ブラシ２６をホルダー体２５対して着脱できる。
【００３１】
かみそりヘッド７の清掃を行う場合には、外刃ホルダー１６を取り外し、首振りフレーム１４や内刃１５等に付着した毛屑を振り落とした後、ホルダー体２５を首振りフレーム１４に装着する。この時、清掃ブラシ２６の周面は、図１０に示すように、両内刃１５の上半周面長手方向の全域にわたって接当し、ブラシ毛の先端が刃面や刃溝に一部屈曲する状態で接触している。この状態で、スイッチノブ４を上方へスライド操作してモータ８を起動すると、各内刃１５が図１０の矢印で示す向きに回動する。これに伴い清掃ブラシ２６は、両内刃１５とは逆向きの回転力を受けて、一部スリップしながら勢いよく回転する。この時の、ブラシ毛と内刃１５の周面との相対摺動によって、刃溝あるいは小刃１５ａの先端や基端隅部に付着している毛屑や皮脂等（図１０参照）を掃き落とすことができる。流水を流し掛けながら、あるいは電気かみそりを逆さにし、かみそりヘッド７を水中に浸漬して清掃を行うと、水の流動作用によって毛屑などを洗い流せるので、さらに効果的な清掃を行える。
【００３２】
ホルダー体２５には、上面と前後面のそれぞれに通水口２７ａ〜２７ｃが開口してあるので、流水を流し掛ける方向は任意に選定できる。しかし、好ましくは図９に示すようにかみそり全体を横向きに保持して洗浄を行うと、常に新規な流水をホルダー体２５の内部へ導入しながら、洗い落とされた毛屑を下面側の通水口２７ｂ・２７ｃから洗浄水とともに速やかに排出できるので、毛屑が首振りフレーム１４の表面などに再付着すのを確実に防止する。より詳しくは、ホルダー体２５の上下通水口２７ｂ・２７ｃは、それぞれ図１１に示すように内刃１５の上半部およびかみそりの毛屑受け面（首振りフレーム１４の上面）に対応して、前後一対ずつ対向状に配置されている。そのため、図９に示すように前後面に設けた通水口２７ｂ・２７ｃのいずれか一方を上面にして洗浄を行う方法を採れば、上方の上部通水口２７ｂから通水された水は、回転する内刃１５と清掃ブラシ２６との掃き落とし屑を洗浄しながら、対向する他方の上部通水口２７ｂから排出される。また、上面の下部通水口２７ｃから通水された水は毛屑受け面上に堆積した毛屑を洗い落としながら、下面の下部通水口２７ｃから排出される。このとき、ホルダー体２５を首振りフレーム１４と共に上下に揺振させると、流水の衝突位置が多様に変化するので、より効果的に洗浄清掃を行える。
【００３３】
水を併用した清掃時には、回転する内刃１５および清掃ブラシ２６によって、それぞれの表面に付着した水塊が周囲に跳ね飛ばされる。これらの飛散する水滴は、洗浄効果を向上するのに役立っており、水滴の衝突衝撃によって、壁面の窪みや隅部などに付着の毛屑や皮脂を確実に洗い落とす。かみそりヘッド７を水中に浸漬して洗浄を行う場合には、内刃１５および清掃ブラシ２６の周りに、流れの向きや強さが始終変化する、非定常状態の水流が生じるが、これらの水流も先の飛散水滴と同様に、洗浄効果を高めるのに役立っている。なお、清掃終了後には、空気中で内刃１５を回動して清掃ブラシ２６に付着した水滴を跳ね飛ばし、その乾燥を促進できる。
【００３４】
水を使えない状況下でかみそりヘッド７を清掃したい場合がある。このときは、上記のような水洗い用の清掃具をそのまま使用すると、清掃ブラシ２６で掃き落とされた毛屑が通水口２７から噴き出て、周辺に飛び散る。このような場合に備えて、乾燥清掃用のカバー４２が設けてある。図１１においてカバー４２は、断面Ｕ字形の樋体状のプラスチック成形品からなり、その前後壁の下端内面に、抜け止め用の係合片４３を備えている。この係合片４３はホルダー体２５の前後壁の下部に突設した掛止リブ４４に係合する。カバー４２をホルダー体２５の上面側から差し込み装着して、係合片４３を掛止リブ４４にパチンと嵌め込むと、カバー４２の内面がホルダー体２５の周面に密着して、上部および下部の各通水口２７ａ〜２７ｃの全てを外面側から塞ぐことができる。
【００３５】
図１２は清掃具の別実施例を示しており、そこでは手動清掃用のブラシを利用して清掃具を構成している。詳しくは、一端に握り部５０を有する帯板状の枠体をホルダー体２５にして、その長辺部の下面側にコ字状の切欠部５１を設け、切欠部５１の対向側面間に清掃ブラシ２６を配置し、両端のブッシュ３６を切欠部５１の側壁で回転自在に軸支する。切欠部５１の両側下部には、連結部４９を突設する。これらの連結部４９は、ヘッドフレーム１２の両側壁の上端に外嵌装着して、ホルダー体２５を位置決め保持する。ホルダー体２５の先端および上側長辺部のそれぞれには、手動清掃用のブラシ毛４７・４８が植設してある。
【００３６】
使用時には、ホルダー体２５をかみそりヘッド７に装着して、清掃ブラシ２６を内刃１５に外接させ、握り部５０を片方の手で保持した状態で内刃１５を回転駆動し、主として内刃１５に付着した毛屑を掃き落とす。他の部分の清掃は、モータを停止した状態下で、ホルダー体２５に設けた縦横のブラシ毛４７・４８を用いて手動で行う。なお、この実施例の清掃具を、先の実施例で説明した安全スイッチ１９付きの電気かみそりに適用する場合には、一方の連結部４９の下部に棒状の操作部３２を設けて、連動ピース２０および中継ピース２１を介して、安全スイッチ１９を安全確保状態に保持することができる。あるいは、電気かみそり側に、安全スイッチ１９をオン状態に保持する切り換え具を設けてもよい。
【００３７】
上記以外に、本発明の清掃具は以下のような実施形態を採ることができる。図１３に示すように、ホルダー体２５をキャップ状に形成し、その前後壁と上壁とを切れ目なく開口して通水口２７とする。通水口２７の上部中央に清掃ブラシ２６を配置し、その両端の軸部３６を軸受部３５で回転自在に支持する。このホルダー体２５は、先の実施例の清掃具と同様に、ホルダー体２５を首振りフレーム１４に嵌着して使用できる。
【００３８】
清掃ブラシ２６は円柱状に形成する必要はなく、平板状や断面多角形状、楕円断面状等に形成できる。必要があれば、ホルダー体２５の内面に複数個の清掃ブラシ２６を配置できる。軸受部３５を筒体で形成し、これをホルダー体２５で軸心方向へスライド自在に支持して、軸部３６を着脱可能とすることができる。カバー４２は、ホルダー体２５に内嵌装着してもよい。本発明の清掃具は、内刃１５を１個だけ備えた電気かみそりや、首振り機能を備えていない電気かみそりなどにも広く適用できる。
【００３９】
【発明の効果】
本発明の清掃具は、ホルダー体２５と、ホルダー体２５で回転自在に支持される清掃ブラシ２６とで構成し、ホルダー体２５を外刃ホルダー１６に代えてかみそりヘッド７に装着した後、内刃１５を回転駆動することにより清掃ブラシ２６を内刃１５と連れ回り回転させ、刃溝などに付着する毛屑や皮脂を自動的に清掃できるようにした。従って、従来の清掃具に比べて内刃１５の清掃を簡単に行え、清掃のための手間も少なくて済む。ホルダー体２５に対して、清掃ブラシ２６を着脱できるので、清掃ブラシ２６これ自体の清掃や交換が容易に行える。
【００４０】
ホルダー体２５をかみそりヘッド７に装着した状態において、安全スイッチ１９を安全確保状態に保持できるようにしたので、ホルダー体２５を適正に装着しない限りは内刃１５を回転駆動できず、内刃１５が露出した状態やホルダー体２５の取り付け方が不十分であるような状態で、内刃１５が不用意に駆動されるのを阻止でき、清掃時の安全性を向上できる。ホルダー体２５に通水口２７を設け、その内部に洗浄水を導入できるようにしてあると、かみそりヘッド７の内部に付着した毛屑や皮脂などを、水の流動作用によって洗い流すことができるので、内刃１５およびかみそりヘッド７の清掃を、さらに効果的に短時間で行える。
【図面の簡単な説明】
【図１】清掃具の使用状態を示す正面図である。
【図２】電気かみそりの概略構造を示す正面図である。
【図３】安全スッチの操作機構を示す一部破断側面図である。
【図４】清掃ブラシとかみそりヘッドとの関係構造を示す縦断側面図である。
【図５】清掃ブラシの縦断正面図である。
【図６】清掃ブラシの軸受構造を示す縦断側面図である。
【図７】清掃ブラシの軸受構造を示す縦断正面図である。
【図８】清掃具の斜視図である。
【図９】清掃具の水洗い清掃状態を示す斜視図である。
【図１０】清掃具の使用形態を示す縦断側面図である。
【図１１】カバーを装着した清掃具の正面図である。
【図１２】清掃具の別実施例を示す斜視図である。
【図１３】清掃具の更に異なる別実施例を示す斜視図である。
【符号の説明】
１  本体ケース
７  かみそりヘッド
１５  内刃
１６  外刃ホルダー
１７  外刃
２５  ホルダー体
２６  清掃ブラシ
２７  通水口
３５  軸受部
３６  軸部
【図１】
0004017757.tif 000002
【図２】
0004017757.tif 000003
【図３】
0004017757.tif 000004
【図４】
0004017757.tif 000005
【図５】
0004017757.tif 000006
【図６】
0004017757.tif 000007
【図７】
0004017757.tif 000008
【図８】
0004017757.tif 000009
【図９】
0004017757.tif 000010
【図１０】
0004017757.tif 000011
【図１１】
0004017757.tif 000012
【図１２】
0004017757.tif 000013
【図１３】
0004017757.tif 000014